(57)【特許請求の範囲】
【請求項１】
左右一対のゴーグル本体と、該ゴーグル本体の対向内端部を連結する連結部材と、前記本体の夫々外端部を接続する弾性バンドとからなるゴーグルにおいて、
前記各ゴーグル本体の連結部材取付部に、連結部材係合孔が左右方向に夫々複数配設され、
連結部材の左右方向両端部後面に、前記各ゴーグル本体の複数の連結部材係合孔に選択的に挿通保持される一対の係止爪が突出状に設けられていることを特徴とするゴーグル。
【請求項２】
前記一対の係止爪は、連結部材取付部の係合孔後面に係止される係止突起を有していることを特徴とする請求項１に記載のゴーグル。
【請求項３】
前記連結部材の左右方向中央部後面に、鼻に当たらないようにするための凹部が設けられていることを特徴とする請求項１又は２に記載のゴーグル。
【発明の詳細な説明】
【０００１】
【産業上の利用分野】
本発明は、水泳、スキー又はオートバイ用等の各種ゴーグルに関するものである。
【０００２】
【従来の技術】
従来、例えば水泳用ゴーグルとしては、図９に示すものがある（実公平１−３６５０５号公報第１２図参照）。
このゴーグル２１は、左右一対のゴーグル本体２２，２２と、可撓性を有する連結部材２３と、弾性バンド２４とから成っている。そして、前記各本体２２，２２の対向内端部に連結部材２３の取付部２５，２５が設けられ、該取付部２５，２５には夫々１個の連結部材係合孔２６，２６が設けられている。
【０００３】
また、連結部材２３には、長手方向両端部に複数個の突部２７が設けられ、該突部２７を選択的に前記係合孔２６，２６に挿入係止させることにより、ゴーグル本体２２間の間隔を調整できる。
さらに、図１０、図１１に示すように、連結部材２３の長手方向両端部に夫々複数の貫通孔２８を設け、任意に選択した貫通孔２８と前記係合孔２６に、固定具２９を貫通状に嵌着するようにしたゴーグル３１が知られている（実公平１−３６５０５号公報参照）。
【０００４】
【発明が解決しようとする課題】
ところで、上記各従来技術１，２は、各着用者の装着部の大小に合わせて、任意に連結部材２３，２３の突部２７又は貫通孔２８を選択し、着用者の頭部にフィットさせることができる。しかし、図９に示す従来技術１では、連結部材２３が可撓性を有しかつＵ字状とされているので、ゴーグル２１の装着時にゴーグル本体２２が弾性バンド２４により離反する方向に引張られ、連結部材２３も引張られている。
【０００５】
そのため、折角ゴーグル本体２２間の間隔を着用者の個々に応じて調整しても、装着時にその間隔がずれて顔面への密着性が悪くなるという問題があり、又調整が面倒である。
また、図１０に示す従来技術２では、ゴーグル本体２２の係合孔２６と連結部材２３の貫通孔２８に固定具２９を嵌着する必要があり、子供用ゴーグルでは、連結部材２３の外端余剰部を切断しなければならず、調整が面倒であるという問題がある。
【０００６】
本発明は、上述のような実状に鑑みてなされたもので、その目的とするところは、連結部材によるゴーグル本体間の間隔調整が容易で、調整後のゴーグル装着時における着用者の顔面へのフィット性を良好にすることができるゴーグルを提供するにある。
【０００７】
【課題を解決するための手段】
本発明では、上記目的を達成するために、次の技術的手段を講じた。
即ち、本発明は、左右一対のゴーグル本体と、該ゴーグル本体の対向内端部を連結する連結部材と、前記本体の夫々外端部を接続する弾性バンドとからなるゴーグルにおいて、前記各ゴーグル本体の連結部材取付部に、連結部材係合孔が左右方向に夫々複数配設され、連結部材の左右方向両端部後面に、前記各ゴーグル本体の複数の連結部材係合孔に選択的に挿通保持される一対の係止爪が突出状に設けられていることを特徴としている。
また、本発明は、前記一対の係止爪は、連結部材取付部の係合孔後面に係止される係止突起を有していることを特徴としている。
また、本発明は、前記連結部材の左右方向中央部後面に、鼻に当たらないようにするための凹部が設けられていることを特徴としている。
【０００８】
【作用】
本発明によれば、連結部材で左右のゴーグル本体の取付部を連結する場合、取付部の係合孔を着用者の装着部の大きさに対応して、夫々適宜選択してから、連結部材の両端部に設けた係止爪を嵌入係合させることにより、容易にかつ迅速に連結・調整して顔面にフィットさせることができる。
【０００９】
【実施例】
以下、本発明の実施例を図面に基づき説明する。
図面において、ゴーグル１は、左右一対のゴーグル本体２，２と、各ゴーグル本体２同志を連結する帯板状の連結部材３と、前記本体２の夫々外端部を接続する弾性バンド４とから成っている。
【００１０】
そして、弾性バンド４は、バンドストッパー５によりゴーグル本体２に掛止されている。
前記ゴーグル本体２は、図１〜図４に示すように、透明又は半透明のポリカーボネイト等の合成樹脂により一体成形されており、前面の平板状レンズ部６と、該レンズ部６の周縁から後方に突出する周壁部７とを備えている。該周壁部７の後端には、柔軟な弾力性を有する環状のパッド（図示省略）を装着するパッド装着部８が形成されている。
【００１１】
そして、周壁部７には、その左右対向内側に連結部材３の取付部９が突設されており、その各外端部に弾性バンド４の接続部１０が設けられている。
前記ゴーグル本体２の取付部９前面は、略矩形の平坦面１１とされている。該取付部９には、前後方向に貫通する略長方形状の係合孔１２が左右方向に複数（本例では２つ）列設されている。なお、係合孔１２は上下方向が長い長方形状となっている。
【００１２】
前記接続部１０には、前面側から凹部１３が形成され、該凹部１３の後壁にバンド挿通孔１４が設けられている。そして、前記凹部１３内にバンドストッパー５が嵌合係止される。
前記連結部材３は、図５に示すように、正面視横長の略長方形を呈し、ナイロンエラストマー等の合成樹脂により成形されている。そして、連結部材３は、左右方向中央部後面に凹部１５が形成されて鼻に当たらないようになっている。また、連結部材３には、左右方向両端部後面に係止爪１６が夫々突出状に設けられている。
【００１３】
該係止爪１６は、対向外側面に係止突起１７を有し、該突起１７がゴーグル本体２の前記係合孔１２の後面に係止されるようになっている。
なお、連結部材３の上下方向幅は、ゴーグル本体２の取付部９の上下方向幅と略同じ寸法とされている。
上記実施例において、着用者が頭部に装着する場合、各自の装着部の大小に合わせて、ゴーグル本体２の連結部材取付部９の係合孔１２を選択し、その係合孔１２に連結部材３の係止爪１６を挿入する。係止爪１６が係合孔１２を貫通すると、その係止突起１７が取付部９の係合孔１２後面に引掛かり、係止爪１６が抜けなくなる。このように、簡単な操作によりゴーグル本体２，２を連結部材３で相互に連結でき、しかも、装着部即ち顔面にフィットさせることができる。
【００１４】
そして、連結部材３の係止爪１６の位置換えをするときは、前記取付部９の後面側で係止爪１６の対向外側面を指で押した状態のまま、連結部材３を前方に引張ることにより、係合孔１２から係止爪１６を容易に抜き出すことができる。そこで、他の係合孔１２を選んで、その係合孔１２に前記係止爪１６を挿入することにより、簡単に再調整ができる。
【００１５】
本発明は、上記実施例に限定されるものではなく、例えば、係合孔１２は、各取付部９に３つ以上設けることができ、取付部９の形状等も適宜設計変更することができる。また、本発明は、水泳用はもとより、スキー用又はオートバイ用等の各種ゴーグルに採用することができる。
【００１６】
【発明の効果】
本発明は、上述のように、左右一対のゴーグル本体と、該ゴーグル本体の対向内端部を連結する連結部材と、前記本体の夫々外端部を接続する弾性バンドとからなるゴーグルにおいて、
前記各本体の連結部材取付部に、連結部材係合孔が左右方向に夫々複数配設されていることを特徴とするものであるから、連結部材によるゴーグル本体間の間隔調整が子供でも至極容易で、調整後のゴーグル装着時における着用者の顔面へのフィット性を向上させることができる。また、連結部材の端部を切断する必要がなく、しかも、該端部がゴーグル本体を突張ってフィット性を阻害することもないうえ、外観が向上する。
【図面の簡単な説明】
【図１】本発明の実施例を示す一部省略正面図である。
【図２】同実施例の一部省略上平面図である。
【図３】同実施例におけるゴーグル本体の横断面拡大図である。
【図４】同実施例の要部拡大正面図である。
【図５】同実施例における連結部材の正面図である。
【図６】図５の上平面図である。
【図７】図５の背面図である。
【図８】図６の右側面図である。
【図９】従来例を示す一部省略中央横断面図である。
【図１０】他の従来例を示す正面図である。
【図１１】同従来例の一部省略中央横断面拡大図である。
【符号の説明】
１    ゴーグル
２    ゴーグル本体
３    連結部材
４    弾性バンド
９  取付部
１２  係合孔
【図１】
0003607346.tif 000002
【図２】
0003607346.tif 000003
【図３】
0003607346.tif 000004
【図４】
0003607346.tif 000005
【図５】
0003607346.tif 000006
【図６】
0003607346.tif 000007
【図７】
0003607346.tif 000008
【図８】
0003607346.tif 000009
【図９】
0003607346.tif 000010
【図１０】
0003607346.tif 000011
【図１１】
0003607346.tif 000012